(57)【特許請求の範囲】
【請求項１】
フェロモン１重量部と脂溶性ビタミン１〜１０重量部との混合物が、ポリオレフィン、塩化ビニル、アクリル系のいずれかの合成樹脂の不活性担体に担持されていることを特徴とする徐放性フェロモン含有粉粒体。
【請求項２】
前記脂溶性ビタミンがビタミンＥであることを特徴とする請求項１に記載の徐放性フェロモン含有粉粒体。
【請求項３】
平均粒径が0.1〜2ｍｍであることを特徴とする請求項１または２に記載の徐放性フェロモン含有粉粒体。
【請求項４】
前記不活性担体が、固形パラフィンを含む前記ポリオレフィン樹脂であることを特徴とする請求項１に記載の徐放性フェロモン含有粉粒体。
【請求項５】
前記不活性担体が、カルボキシル基を有するエチレン共重合体、および該エチレン共重合体とポリオレフィンとの混合物のいずれかの前記ポリオレフィン樹脂であることを特徴とする請求項１に記載の徐放性フェロモン含有粉粒体。
【請求項６】
前記エチレン共重合体がエチレン−酢酸ビニル共重合体、エチレン−アクリル酸エステル共重合体またはエチレン−メタクリル酸エステル共重合体であることを特徴とする請求項５に記載の徐放性フェロモン含有粉粒体。
【発明の詳細な説明】
【０００１】
【産業上の利用分野】
本発明は、害虫の発生を抑制するために利用される徐放性フェロモン含有粉粒体に関するものである。
【０００２】
【従来の技術】
農作物、営林における害虫の防除手段のひとつとして、環境に無害なフェロモンを利用した方法がある。フェロモンによる防除方法には、大量誘殺法と交信攪乱法とがある。大量誘殺法は、誘引物質によってできるだけ大量の害虫を誘引し、殺害する方法である。交信攪乱法は、害虫の交信に必要な物質（性フェロモン）を大量に漂わせ、雌雄の交尾を阻害する方法である。この交信攪乱法は必要量の性フェロモンを空気中に蒸発させるものであり、フェロモンを徐々に放出する徐放性フェロモン製剤を用いている。
【０００３】
徐放性フェロモン製剤には、（１）フェロモンの必要量を一定期間放出できること、（２）作用期間中は均一な放出をすること、（３）フェロモン製剤に残存するフェロモン損失が少ないこと等の放出性能に優れていることが要求される。さらに、その用途や作業性によって、有効成分を微粒子または懸濁液の形態で噴霧または散布できることが求められる。これらの徐放性フェロモン製剤には、様々なタイプのものがある。
【０００４】
【発明が解決しようとする課題】
米国特許第４１１１６８４号明細書、同３６３９３０６号明細書には、高分子ラミネート片の徐放性フェロモン製剤が記載されている。米国特許第４９６２１７０号明細書、特開昭６４−２０８５３号公報には、高分子顆粒の徐放性フェロモン製剤が記載されている。特開平３−５６４０３号公報には、多孔質ビーズの徐放性フェロモン製剤が記載されている。
【０００５】
これらの徐放性フェロモン製剤でフェロモンの放出が速すぎる場合には、製剤を大きくすれば放出速度を抑えることができる。しかし製剤は大きくなり過ぎると、散布しにくくなる。このため製剤を小さく維持したまま、フェロモンの放出速度を抑制する方法が提案されている。
【０００６】
特開昭５９−１３９０１号公報、特開昭５８−４９１５１号公報には、製剤の表面をフェロモン難透過物質で被覆する方法が記載されている。特開昭５６−８３４０号公報には、不活性物質でフェロモンを希釈して担体に担持する方法が記載されている。
【０００７】
しかしフェロモンの放出速度は担体中のフェロモン濃度に依存するので、希釈する方法ではフェロモンの均一な放出は得られない。このようにフェロモンを均一に放出でき、かつ散布しやすい徐放性フェロモン製剤は、まだ見いだされていない。
【０００８】
本発明は前記の課題を解決するためになされたもので、散布に適した粉形状であって、かつ均一にフェロモンを放出し、その放出速度を抑制することができる徐放性フェロモン含有粉粒体を提供することを目的とする。
【０００９】
【課題を解決するための手段】
前記の目的を達成するためになされた本発明の徐放性フェロモン含有粉粒体は、フェロモン１重量部と脂溶性ビタミン１〜１０重量部との混合物が、ポリオレフィン、塩化ビニル、アクリル系のいずれかの合成樹脂の不活性担体に担持されているものである。
【００１０】
この徐放性フェロモン含有粉粒体の平均粒径は０．１〜２ｍｍが好ましい。平均粒径０．１〜２ｍｍの粉粒体は散布するのに適している。平均粒径が２ｍｍを超える場合、粉粒体を汎用の散布機で散布できなくなる。さらに粉粒体は、接着性が低下し植物体等に保持しなくなる。平均粒径が０．１ｍｍ未満の場合には、脂溶性ビタミンでフェロモンを希釈しても放出速度が抑制されず、長期にわたってフェロモンを放出できない。
【００１１】
フェロモンは、炭素数１０〜２３の不飽和のアセテート、アルデヒド、ケトンまたはアルコール等の化合物からなる活性のフェロモン物質が対象とされ、具体的にはＺ８−ドデセニルアセテート、Ｅ５−デセニルアセテート、Ｅ４−トリデセニルアセテート、Ｅ７，Ｚ９−ドデカジエニルアセテート、Ｚ９−テトラデセニルアセテート、Ｚ１１−テトラデセニルアセテート、Ｚ１１−ヘキサデセニルアセテート、Ｅ３，Ｚ１３−オクタデカジエニルアセテート、Ｚ９−テトラデセナール、Ｚ９−ヘキサデセナール、Ｚ１１，Ｚ１３−ヘキサデカジエナール、Ｚ１３−オクタデセナール、Ｚ１３−イコセン−１０−オン、７，８−エポキシ−２−メチルオクタデカン、８−メチル−２−デシルプロピオネート、Ｅ５−デセノール、Ｅ８Ｅ１０−ドデカジエノール、Ｚ９−トリコセン、１４−メチル−１−オクタデセン等が例示される。
【００１２】
脂溶性ビタミンはビタミンＥが好ましい。脂溶性ビタミンには、α−トコフェノール、β−トコフェノール、フィロキノン、ファルノキノン、リノール酸、リノレイン酸、エルゴステリン等があるが、ポリオレフィン合成樹脂を担体とする場合には、α−トコフェノール、β−トコフェノール等のビタミン−Ｅを使用すると、フェロモンを均一に放出することができる。
【００１３】
脂溶性ビタミンの量はフェロモン１重量部に対して１〜１０重量部が好ましい。１重量部未満の場合、フェロモンの放出速度を抑制するのに不充分である。１０重量部を超える場合、フェロモンの放出速度は遅くなり過ぎ、フェロモンの希釈割合（製剤中のフェロモン濃度）に依存するようになる。
【００１４】
不活性担体には、ポリオレフィン、塩化ビニル、アクリル系等の各種合成樹脂が挙げられるが、固形パラフィンを含むポリオレフィン樹脂が加工性に優れていて最も好適である。
【００１５】
前記ポリオレフィン樹脂はカルボキシル基を有するエチレン共重合体またはエチレン共重合体とポリオレフィンとの混合物が好ましい。エチレン共重合体には、エチレン−アクリル酸エステル共重合体またはエチレン−メタクリル酸エステル共重合体が挙げられる。
【００１６】
徐放性フェロモン含有粉粒体は、以下のようにして製造される。担体であるポリオレフィン樹脂に、フェロモンと脂溶性ビタミンとの混合液を担持させる。得られた混合物をペレット化してから、ペレットを粉砕機等で散布に適した大きさになるまで粉砕して、徐放性フェロモン含有粉粒体とする。
【００１７】
担体にフェロモンを担持させるには、フェロモンと脂溶性ビタミンとの混合液と、担体となる樹脂とを溶融してから粒体化する方法、あるいは樹脂の粉末に、フェロモンと脂溶性ビタミンとの混合液を含浸させる方法がある。必要に応じて、得られた粉粒体をさらに細分化してもよい。
【００１８】
フェロモンは均質に混合および含浸されるために、担体である樹脂への飽和溶解度以下の量で担持されることが好ましい。
【００１９】
【発明の効果】
本発明の徐放性フェロモン含有粉粒体はフェロモンが均一に放出され、その放出速度を抑制することができる。このため長期にわたってフェロモンが効率的に放出され、害虫の交信が攪乱される。徐放性フェロモン含有粉粒体は、脂溶性ビタミンとフェロモンとを混合して従来の製造プロセスにのせればよいので簡単に製造できる。脂溶性ビタミンとしてビタミン−Ｅを用いた場合には、ビタミン−Ｅが酸化防止剤として働き、フェロモンの安定性が著しく向上する。
【００２０】
【実施例】
以下、本発明の実施例を詳細に説明する。
【００２１】
実施例１
エチレン−酢酸ビニル共重合体１０ｋｇに、Ｚ８−ドデセニルアセテート５００ｇとビタミン−Ｅ（エーザイ株式会社製）２ｋｇとの混合液を加え、混練機で混練した。得られた混合物を棒状に押し出した後、切断してペレットを得た。ペレットを通常の粉砕機を用いて粉砕し、平均粒径１ｍｍの徐放性フェロモン含有粉粒体を得た。この粉粒体を２５℃、風速０．５ｍ／秒の条件下で放置して、フェロモンの残存率を測定した。その結果を表１および図１に示す。
【００２２】
実施例２
実施例１と同様にしてペレットを成形し、このペレットから平均粒径０．２ｍｍの徐放性フェロモン含有粉粒体を得た。実施例１と同一条件で、この粉粒体のフェロモンの残存率を測定した。その結果を表１および図１に示す。
【００２３】
比較例１
実施例１と同様にしてペレットを成形し、このペレットから平均粒径３ｍｍの徐放性フェロモン含有粉粒体を得た。実施例１と同一条件で、この粉粒体のフェロモンの残存率を測定した。その結果を表１および図１に示す。
【００２４】
比較例２
実施例１と同様にしてペレットを成形し、このペレットから平均粒径０．０５ｍｍの徐放性フェロモン含有粉粒体を得た。実施例１と同一条件で、この粉粒体のフェロモンの残存率を測定した。その結果を表１および図１に示す。
【００２５】
比較例３
エチレン−酢酸ビニル共重合体１０ｋｇに、Ｚ８−ドデセニルアセテート５００ｇを添加し、混練機で混練した。実施例１と同様にしてペレットを成形し、平均粒径１ｍｍの徐放性フェロモン含有粉粒体を得た。実施例１と同一条件で、この粉粒体のフェロモン残存率を測定した。その結果を表１および図１に示す。
【００２６】
【表１】
0003581199.tif 000002
【００２７】
表１および図１に示されるとおり、実施例１、２の徐放性フェロモン含有粉粒体は均一にフェロモンを放出している。放出速度も抑制されているので、フェロモンを長期間放出することができる。
【００２８】
比較例１のフェロモン含有粉粒体（平均粒径３ｍｍ）は放出速度が遅すぎる。さらに粒径が３ｍｍと大きいため、散布には適さない。
【００２９】
比較例２のフェロモン含有粉粒体（平均粒径０．０５ｍｍ）および比較例３のフェロモン含有粉粒体（ビタミン−Ｅなし）はフェロモンを均一に放出していない。放出速度も大きすぎるので、フェロモンを長期にわたって放出できない。
【図面の簡単な説明】
【図１】経過日数とフェロモン残存率との関係を示す図である。
【図１】
0003581199.tif 000003